(57)【要約】【課題】  家庭内にある廃熱を利用して、既存の浴室を超微細ミストサウナとする。【解決手段】  被処理空気を通過させるべき処理室２内において、加熱した水を回転体３に衝突させて飛散させることによりミスト状に飛散させて、処理室内に加熱された超微細ミスト雰囲気を形成し、処理室を通過する被処理空気を超微細ミストを含んだ加熱空気として浴室内に発散させるミストサウナ装置において、回転体に衝突させる水を循環回路５内を循環する水とするとともに、上記循環回路中を循環する水を外部の熱源と熱交換するための熱交換器７を配する。【選択図】      図１
2017164406.tif 000002
【特許請求の範囲】
【請求項１】
被処理空気を通過させるべき処理室内において、加熱した水を回転体に衝突させて飛散させることによりミスト状に飛散させて、処理室内に加熱された超微細ミスト雰囲気を形成し、処理室を通過する被処理空気を超微細ミストを含んだ加熱空気として浴室内に発散させるミストサウナ装置において、回転体に衝突させる水を循環回路内を循環する水とするとともに、上記循環回路中を循環する水を外部の熱源と熱交換するための熱交換器を配したことを特徴とする既存の浴室を超微細ミストサウナとして利用するためのミストサウナ装置。
【請求項２】
循環回路中を循環する水と熱交換するための熱源として浴槽内の湯を使用する請求項１記載の既存の浴室を超微細ミストサウナとして利用するためのミストサウナ装置。
【請求項３】
熱交換器の熱交換部を浴槽内の湯に浸すことにより、浴槽内の湯から受熱する手段とした請求項２記載の既存の浴室を超微細ミストサウナとして利用するためのミストサウナ装置。
【請求項４】
熱交換器を二重管式熱交換器とし、浴槽内から湯を取水し、戻す循環回路中に上記の二重管式熱交換器を配した請求項２記載の既存の浴室を超微細ミストサウナとして利用するためのミストサウナ装置。
【請求項５】
循環回路中を循環する水を加熱するための補助熱源を設けた請求項１から４の何れかに記載の既存の浴室を超微細ミストサウナとして利用するためのミストサウナ装置。
【請求項６】
水を衝突させる回転体として水及び空気が通過可能な筒を使用した請求項１から５の何れかに記載の既存の浴室を超微細ミストサウナとして利用するためのミストサウナ装置。
【請求項７】
筒に多数の細孔を設けることにより水及び空気が通過可能な筒とした請求項６記載の既存の浴室を超微細ミストサウナとして利用するためのミストサウナ装置。
【請求項８】
筒に多数のスリットを設けることにより水及び空気が通過可能な筒とした請求項６記載の既存の浴室を超微細ミストサウナとして利用するためのミストサウナ装置。
【請求項９】
筒を網目体とすることにより水及び空気が通過可能な筒とした請求項６記載の既存の浴室を超微細ミストサウナとして利用するためのミストサウナ装置。
【発明の詳細な説明】
【技術分野】
【０００１】
この発明は、ミストサウナ装置に関し、より詳細には専用のサウナ室を設けず、既存の浴室を利用してサウナ浴を行うための浴室用ミストサウナ装置に関する。
【背景技術】
【０００２】
室内に生成した高温のミスト雰囲気下に身を置くことによってサウナ浴を行うミストサウナが古くから知られている。この場合、専用のサウナ室に代えて浴槽や洗い場を備えた浴室をミストサウナ室として利用する試みもなされている。
【０００３】
浴室をミストサウナ室として利用するに際してはミストの発生装置を浴室の外に設置することが一般的であるが（例えば特許文献１）、その場合は大がかりな工事を要する問題があった。また、ミストの発生装置を浴室内に設置する場合は通常の入浴時に発生装置が邪魔になる問題があった。
【０００４】
前記に関して、目的は浴室内の暖房であるが、浴槽の湯に浮かべられる浮体の下方から湯を吸い込んで上方からミストとして噴射する発明が特許文献２において公知である。
【０００５】
在来のミストの粒径が粗いミストサウナでは、浴室の温度を制御できず、室温が体温より低いとミストを浴び続けなければ体が冷えてしまい、常にお湯を生成し続けなければならず、エネルギーコストもかかってしまった。
【０００６】
一方、在来のミストの粒径が粗いミストサウナに代えて、粒径を可及的に小さくした（約１０ナノ）超微細ミストサウナとすると水濡れ感がなく、しかも気体のマイナスイオンの濃度が高まり、入浴感や健康効果が格段に向上することが実証されており（非特許文献１）、この場合は超微細ミストを含んだ加熱空気が浴室内に発散されることにより浴室の温度も制御することができた。
【０００７】
これに関して、限られた装置の大きさで大量の水を飛散させ、しかも飛散されたミストの粒径を可及的に小さくすることをいかに効率よく実現できるかが技術的な課題となる。これを解決する発明として、被処理空気を通過させるべき処理室内において、水を回転体に衝突させて飛散させることによりミスト状に飛散させて、処理室内に超微細ミスト雰囲気を形成する発明を本願出願人は既に提案している（特許文献３) 。
【０００８】
また、本願出願人は加熱した超微細ミストを生成するにあたり、浴槽の湯に着目し、下方にスクリューを内設した中空の回転体を湯中に浸漬して回転することにより、回転体内部の下方から上方に向かって湯を汲み上げると共に、この湯を回転体の上方に設けた湯及び空気が通過可能な筒状の散水部からミスト状に飛散させ、外気を導入可能な処理室内にミスト雰囲気を形成するミスト発生装置と、回転体の下端を湯中に浸漬させた状態で上記ミスト発生装置を浴槽に溜めた湯に浮遊させるための浮体からなり、湯中に浸漬される回転体の下方の箇所を下端に取水のための開口部を設けたドーム形状に構成した発明も提案している（特許文献４）。
【０００９】
【特許文献１】特開平１１−１９２２８０号公報
【特許文献２】特開２００２−１９５５９２号公報
【特許文献３】特開２００９−６６３８９号公報
【特許文献４】特開２０１１−０１０９６５号公報
【非特許文献１】『コロナナノミストサウナ』を発売（インターネット：ＵＲＬ http://www.corona.co.jp/news/news＿080826.pdf）
【発明の開示】
【発明が解決しようとする課題】
【００１０】
前記の特許文献４に記載の発明は、浴槽の湯を利用して超微細ミストを生成するので、加温装置が不要になるという利点がある。
【００１１】
しかしながら、ミスト発生装置を浴槽に溜めた湯に浮遊させるので、小さな浴槽の場合はミスト発生装置が入浴の邪魔になるおそれがあった。
【課題を解決するための手段】
【００１２】
この発明は以上の問題点を解消した既存の浴室を超微細ミストサウナとして利用するためのミストサウナ装置を提供することを目的として創作されたものであり、被処理空気を通過させるべき処理室内において、加熱した水を回転体に衝突させて飛散させることによりミスト状に飛散させて、処理室内に加熱された超微細ミスト雰囲気を形成し、処理室を通過する被処理空気を超微細ミストを含んだ加熱空気として浴室内に発散させるミストサウナ装置において、回転体に衝突させる水を循環回路内を循環する水とするとともに、上記循環回路中を循環する水を外部の熱源と熱交換するための熱交換器を配したことを特徴とする。
【００１３】
また、請求項２記載の発明は前記のミストサウナ装置において、循環回路中を循環する水と熱交換するための熱源として浴槽内の湯を使用することを特徴とする。
【００１４】
また、請求項３記載の発明は前記のミストサウナ装置において、熱交換器の熱交換部を浴槽内の湯に浸すことにより、浴槽内の湯から受熱する手段としたことを特徴とする。
【００１５】
また、請求項４記載の発明は前記のミストサウナ装置において、熱交換器を二重管式熱交換器とし、浴槽内から湯を汲み上げ、戻す循環回路中に上記の二重管式熱交換器を配したことを特徴とする。
【００１６】
また、請求項５記載の発明は前記のミストサウナ装置において、循環回路中を循環する水を加熱するための補助熱源を設けたことを特徴とする。
【００１７】
また、請求項６記載の発明は前記のミストサウナ装置において、水を衝突させる回転体として水及び空気が通過可能な筒を使用したことを特徴とする。
【００１８】
また、請求項７記載の発明は前記のミストサウナ装置において、筒に多数の細孔を設けることにより水及び空気が通過可能な筒としたことを特徴とする。
【００１９】
また、請求項９記載の発明は前記のミストサウナ装置において、筒に多数のスリットを設けることにより水及び空気が通過可能な筒としたことを特徴とする。
【００２０】
また、請求項９記載の発明は前記のミストサウナ装置において、筒を網目体とすることにより水及び空気が通過可能な筒としたことを特徴とする。
【発明の効果】
【００２１】
この発明のミストサウナ装置は回転体に衝突させて飛散させるための水を加熱する手段として、循環回路内を循環する水とするとともに、上記循環回路中を循環する水を外部の熱源と熱交換するための熱交換器を配しているので、家庭内にある廃熱を利用して加熱を行うことが可能となり省エネルギーに寄与する。
【００２２】
前記の場合、請求項２記載の発明は循環回路中を循環する水と熱交換するための熱源として浴槽内の湯を使用するので、受熱すべき熱源がミストサウナ装置に至近な位置に存し、効率的な熱交換を図ることができる。また、浴槽内の湯は人が入浴していない場合でも温熱状態を保っているので、新たなエネルギーコストを要しないでサウナ浴前に時間をかけて浴室内をミストサウナ状態とすることが可能となり、特に冬場に有効である。
【００２３】
一方、浴槽内の湯を熱源として使用するのだが、前記従来技術のように浴槽内の湯自体をミストとして発散するわけでないので、衛生面での心配がなく省エネルギーに寄与したミストサウナ装置が実現される。
【００２４】
また、請求項５記載の発明は循環回路中を循環する水を加熱するための補助熱源を設けているので、この補助熱源で回転体に衝突させて飛散させるための水の温度制御を行うことにより浴室内の室温を自在に設定することができる。
【００２５】
以上の通り、この発明によれば浴槽の湯を直接ミスト化するのではなく、熱交換器によって新しく加熱したお湯をミスト化することで、衛生的なミストサウナを提供でき、入浴の邪魔になるおそれもない。
【００２６】
また、熱交換器により新しい水を一定の温度に昇温するため、エネルギーコストが軽減でき、かつすばやく少ないエネルギーで好みの温度まで再加熱可能となる。
【図面の簡単な説明】
【００２７】
【図１】この発明のミストサウナ装置の構成図。
【図２】同上、第１実施例の斜視図。
【図３】同上、第２実施例の斜視図。
【図４】同上、第３実施例の斜視図。
【発明を実施するための最良の形態】
【００２８】
以下、この発明の具体的実施例を添付図面に基づいて説明する。図１はミストサウナ装置の構成図である。
この発明のミストサウナ装置は被処理空気を通過させるべき処理室２内において、加熱した水を回転体３に衝突させて飛散させることによりミスト状に飛散させて、処理室内に加熱された超微細ミスト雰囲気を形成し、処理室を通過する被処理空気を超微細ミストを含んだ加熱空気として浴室内に発散させるミスト発生装置１と、
回転体３に衝突させる水を循環させる循環回路５と、
上記循環回路５中を循環する水を外部の熱源と熱交換するための熱交換器７を有し、
循環回路中を循環する水と熱交換するための熱源として浴槽内の湯を使用する構成よりなる。
【００２９】
前記ミスト発生装置１は筐体状にして、送風ファン９により発生装置上方に設けた吸気口１２より内部の処理室２内に外気を導入し、排気ダクト１０から排出するものであり、その過程において加熱した水を回転体３に衝突させて飛散させることによりミスト状に飛散させて、処理室内に加熱された超微細ミスト雰囲気を形成し、処理室を通過する被処理空気を超微細ミストを含んだ加熱空気として排出する。なお、図中符号４は回転体３を回転させるモータである。
【００３０】
回転体３はここでは水及び空気が通過可能な筒を使用しており、そのような筒としては多数の細孔を設けた筒や、多数のスリットを設けた筒、あるいは筒を網目体とすることなどが想定される。
【００３１】
ここでは前記の回転体３を構成する筒を有底状とし、加熱した水をこの筒内に臨ませた注出パイプ８より回転体の内部に注ぐことにより回転体に衝突させてミスト状に飛散させているが、加熱した水を回転体に衝突させて飛散させる手段はこれに限らないことは勿論である。
【００３２】
加熱した水を循環させる循環回路５は一端をミスト発生装置１の処理室２底部に設けた貯水部１１の下方の排水パイプ１５に、他端を前記の注出パイプ８に接続するものであり、循環ポンプ６により貯水部内の水を吸い上げ、注出パイプより排出する。なお、図中符号１２は貯水部１１内に水を補給するための給水タンクである。
【００３３】
前記の循環回路５はその経路中に熱交換器７を配することにより、循環する水を外部の熱源と熱交換して加熱する。なお、ここでは環環回路５中に循環する水を加熱するための補助熱源１４を設けることにより、循環する水を任意の温度に設定できることを可能としている。
【００３４】
この発明のミストサウナ装置の特徴は、循環回路中を循環する水と熱交換するための熱源として浴槽内の湯を使用する点にある。図２はその場合の第１実施例を示す図であり、ここでは熱交換器７の熱交換部を浴槽Ｂの底部に配置して浴槽内の湯に浸すことにより、浴槽内の湯から受熱している。
【００３５】
図３は前記の第２実施例を示す図であり、熱交換器７を循環回路５側の内管７Ａとそれを内蔵した外筒７Ｂからなる二重管式熱交換器とし、循環ポンプ２１により浴槽Ｂ内から湯を取水し、戻す循環回路２０中に上記の外筒を配している。
【００３６】
図４はこの発明のミストサウナ装置の第３実施例を示す図であり、ここでは循環回路５の熱交換器７を貯湯式の湯沸器の貯湯タンクＴの底部に配置することにより、循環回路中を循環する水と熱交換するための熱源として湯沸器の湯を使用している。
【符号の説明】
【００３７】
１        ミスト発生装置
２        処理室
３        回転体
５        循環回路
７        熱交換器
【図１】
2017164406.tif 000003
【図２】
2017164406.tif 000004
【図３】
2017164406.tif 000005
【図４】
2017164406.tif 000006